(57)【特許請求の範囲】
【請求項１】
機体の走行中に畝ｈの上面及び左右斜面に繁茂した蔓ｔを掻き込み装置４７で掻き集め、挟持搬送装置６９で根付いた蔓ｔを引きちぎりし、続いて掻き集めた蔓ｔと引きちぎりした蔓ｔを斜め後ろ上方へ搬送し、その搬送途中より隣接する畝ｈあるいは溝ｍ上へ排出する蔓処理機であって、駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、該挟持搬送装置６９の始端部上方に、突起を列設した無端状の掻き込みベルト４６，４６を左右一対として巻き掛けした前端部を、畝ｈの上面及び左右斜面に繁茂した蔓ｔを掻き集めする掻き込み搬送部とし、この掻き込み搬送部から後方を前記挟持搬送装置６９と共に搬送する搬送部を備えた掻き込み装置４７を設け、前記挟持搬送装置６９の搬送経路中途部より終端部に亘り、前記挟持搬送装置６９と共に前記蔓ｔを搬送する後部蔓補助搬送装置６７を設け、前記掻き込み装置４７と前記後部蔓補助搬送装置６７を前記挟持搬送装置６９の搬送経路のほぼ全長の直上に連続して沿わせて設けたことを特徴とする甘藷等の蔓処理機。
【請求項２】
駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、前記挟持搬送装置６９の搬送終端を機体側方に向けて折曲する折曲箇所を前記掻き込み装置４７の終端部下方近傍に設け、前記折曲個所から搬送経路の終端までの間に前記挟持搬送装置６９と連動して左右に揺動する後部蔓補助搬送装置６７を前記挟持搬送装置６９の搬送経路の直上に沿って設けたことを特徴とする請求項１記載の甘藷等の蔓処理機。
【請求項３】
走行フレーム２の途中に上下に揺動する回動中心ギャケース１４を設け、該回動中心ギャケース１４から上方へ左右２箇所に延出した縦軸受支持筒１８、１８に装架した縦回転軸１９、１９を設け、該縦回転軸１９、１９に軸着した広巾プーリ２７、２７を搬送通路の折曲箇所とし、この折曲箇所から後方に、前記縦回転軸１９、１９に回転自在に軸架したプーリ支持アーム４８、４８の他方に挿架した回転支持軸４９、４９を介して一定角度の揺動変位可能とした間隔保持部材５１、５１で前記挟持搬送装置６９の搬送経路を左右へ折り曲げ可能とする第二の折曲個所を形成した挟持搬送装置６９を設けたことを特徴とする請求項１又は２記載の甘藷等の蔓処理機。
【請求項４】
駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、前記挟持搬送装置６９の始端部上方に、作用側が平面視で略へ字状に巻き掛けした掻き込みベルト４６、４６を左右対向して設け、該掻き込みベルト４６，４６の前端部を前記畝ｈに繁茂した蔓ｔを掻き集めする略ハ字状に形成した掻き込み搬送部と、この掻き込み搬送部より後方側を前記挟持搬送装置６９の搬送通路に沿って搬送する搬送部を備えた掻き込み装置４７を設け、前記挟持搬送装置６９の搬送経路の前記折曲箇所より終端部に亘り、前記挟持搬送装置６９に連動して左右に揺動し、さらに前記蔓ｔを前記掻き込み装置４７より受継ぎ前記挟持搬送装置６９と共に後方搬送する後部蔓補助搬送装置６７を設け、前記掻き込み装置４７の搬送部後端と前記後部蔓補助搬送装置６７の搬送始端を前記挟持搬送装置６９の搬送経路のほぼ直上に重複させたことを特徴とする請求項１又は、２又は３記載の甘藷等の蔓処理機。
【発明の詳細な説明】
【０００１】
【発明の属する技術分野】
本発明は、圃場に繁茂した甘藷等の蔓を特定個所へ搬送除去する蔓処理機に関する。
【０００２】
【従来の技術】
機体の走行中に圃場に繁茂した甘藷等の蔓を藷畝に沿って切断処理するようにした蔓処理機は存在している（特公平４−５６５７２号公報参照）。
【０００３】
【発明が解決しようとする課題】
本出願人は、上記した従来の蔓処理機をさらに改良し、特願平８−１６４０３１号で提案している。
【０００４】
この改良処理機では、機体の走行中に圃場に繁茂した蔓を掻き込み装置で掻き集め、このように掻き集めた蔓を蔓挟持搬送装置で挟み付けて斜め上方へ搬送し特定個所へ排出する構成としてある。このさい、掻き込み装置は蔓挟持搬送装置の先端部に装着される。
【０００５】
この処理機は蔓の排除作業の能率を飛躍的に向上させるものであるが、掻き集めた蔓を特定個所へ搬送する過程で蔓が搬送経路から左右に外れて垂れ下がり、絡み付いたり、こぼれ落ちることがあり、このように絡み付いたり、こぼれ落ちた蔓は手作業等で取り除くことが必要となるのである。
【０００６】
本発明は、このような実状の下、掻き集めた蔓を特定個所へ効率的に搬送することを可能となして余分な手間を軽減させることのできる甘藷等の蔓処理機を提供することを目的とする。
【０００７】
【課題を解決するための手段】
本発明の解決しようとする課題は以上の如くであり、次に該課題を解決するための手段を説明する。
請求項１においては、機体の走行中に畝ｈの上面及び左右斜面に繁茂した蔓ｔを掻き込み装置４７で掻き集め、挟持搬送装置６９で根付いた蔓ｔを引きちぎりし、続いて掻き集めた蔓ｔと引きちぎりした蔓ｔを斜め後ろ上方へ搬送し、その搬送途中より隣接する畝ｈあるいは溝ｍ上へ排出する蔓処理機であって、駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、該挟持搬送装置６９の始端部上方に、突起を列設した無端状の掻き込みベルト４６，４６を左右一対として巻き掛けした前端部を、畝ｈの上面及び左右斜面に繁茂した蔓ｔを掻き集めする掻き込み搬送部とし、この掻き込み搬送部から後方を前記挟持搬送装置６９と共に搬送する搬送部を備えた掻き込み装置４７を設け、前記挟持搬送装置６９の搬送経路中途部より終端部に亘り、前記挟持搬送装置６９と共に前記蔓ｔを搬送する後部蔓補助搬送装置６７を設け、前記掻き込み装置４７と前記後部蔓補助搬送装置６７を前記挟持搬送装置６９の搬送経路のほぼ全長の直上に連続して沿わせて設けたものである。
【０００８】
また、請求項２においては、駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、前記挟持搬送装置６９の搬送終端を機体側方に向けて折曲する折曲箇所を前記掻き込み装置４７の終端部下方近傍に設け、前記折曲個所から搬送経路の終端までの間に前記挟持搬送装置６９と連動して左右に揺動する後部蔓補助搬送装置６７を前記挟持搬送装置６９の搬送経路の直上に沿って設けたものある。
【０００９】
また、請求項３においては、走行フレーム２の途中に上下に揺動する回動中心ギャケース１４を設け、該回動中心ギャケース１４から上方へ左右２箇所に延出した縦軸受支持筒１８、１８に装架した縦回転軸１９、１９を設け、該縦回転軸１９、１９に軸着した広巾プーリ２７、２７を搬送通路の折曲箇所とし、この折曲箇所から後方に、前記縦回転軸１９、１９に回転自在に軸架したプーリ支持アーム４８、４８の他方に挿架した回転支持軸４９、４９を介して一定角度の揺動変位可能とした間隔保持部材５１、５１で前記挟持搬送装置６９の搬送経路を左右へ折り曲げ可能とする第二の折曲個所を形成した挟持搬送装置６９を設けたものある。
【００１０】
また、請求項４においては、駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、前記挟持搬送装置６９の始端部上方に、作用側が平面視で略へ字状に巻き掛けした掻き込みベルト４６、４６を左右対向して設け、該掻き込みベルト４６，４６の前端部を前記畝ｈに繁茂した蔓ｔを掻き集めする略ハ字状に形成した掻き込み搬送部と、この掻き込み搬送部より後方側を前記挟持搬送装置６９の搬送通路に沿って搬送する搬送部を備えた掻き込み装置４７を設け、前記挟持搬送装置６９の搬送経路の前記折曲箇所より終端部に亘り、前記挟持搬送装置６９に連動して左右に揺動し、さらに前記蔓ｔを前記掻き込み装置４７より受継ぎ前記挟持搬送装置６９と共に後方搬送する後部蔓補助搬送装置６７を設け、前記掻き込み装置４７の搬送部後端と前記後部蔓補助搬送装置６７の搬送始端を前記挟持搬送装置６９の搬送経路のほぼ直上に重複させたものある。
【００１１】
【発明の実施の形態】
図１〜図７を参照して、本発明に係る蔓処理機の実施例を説明する。全体は図１〜図３に示すように、走行機構部Ａ、回動中心機構部Ｂ及び蔓処理機構部Ｃからなっている。
【００１２】
先ず走行機構部Ａについて説明すると、次の通りである。即ち、１はエンジンで、これの前部から管部材等からなる走行フレーム２を延出させてあり、走行フレーム２の左右各先端にはバリカン式の切断部３ａを備えた蔓切断装置３、３、分草板４及びゲイジ輪ｇが固定してある。
【００１３】
５はエンジン１の進行方向の左側面に固定したミッションケースで、このミッションケース５の左右各側部には走行駆動ケース６が基部廻りへ揺動変位可能に設けてあり、各走行駆動ケース６の先端部には走行車輪７が装着してある。
【００１４】
走行フレーム２の長さ途中の左右各側には車輪高さ調整部材８が設けてあり、この調整部材８は走行駆動ケース６の先端部を任意高さに固定するものとなしてある。
【００１５】
９は走行フレーム２と同体部から後方へ延出させた操縦ハンドルであり、１０は走行クラッチレバー、１１は進行方向切換レバー、１２は変速レバーであり、１３は図示しないスプリングの弾力に抗して後方へ退避移動可能とした支持ローラである。
【００１６】
上記走行機構部Ａの作動を説明すると、エンジン１の回転は走行クラッチレバー１０の入り操作によりミッションケース５内に伝達され、続いて走行駆動ケース６、６内を経て各走行車輪７へ伝達される。
また機体の進行方向は進行方向切換レバー１１で切り換えられ、エンジン１と走行車輪７の回転比は変速レバー１２で切り換えられる。
また分草板４は圃場面近傍に繁茂した蔓を切断部３ａへ案内し、切断部３ａはこれに交差状に当接する蔓を切断する。
【００１７】
次に回動中心機構部Ｂについて説明すると、次の通りである。
即ち、１４は左右方向へ延出された横回転軸１５を備えた回動中心ギヤケースであり、横回転軸１５の左右部は、図４に示すように走行フレーム２の長さ途中に固定された左右の横軸受支持筒１６、１６に回転変位自在に内挿させ、回動中心ギヤケース１４が走行フレーム２に対し横回転軸１５廻りへ揺動変位する状態となしてある。
【００１８】
回動中心ギヤケース１４の上面には左右二つの縦軸受支持筒１８を形成し、各支持筒１８に縦回転軸１９を内挿させてあり、この縦回転軸１９と前記横回転軸１５はミッションケース５のＰＴＯ軸２０から自在継ぎ手軸２１を介して伝達される動力で回転駆動される構成としてある。
【００１９】
上記した左右の軸受横支持筒１６、１６の外方端にはクランクケース２２、２２が固定してあり、各クランクケース２２内の横回転軸１５に固定したクランク２３の動作がリンク機構２４を介してその対応する切断部３ａに伝達され、上下往復切断運動を起こさせるように構成してある。
【００２０】
２５は走行フレーム２と同体に装着した揺動操作ハンドルで、これの回転操作により回動中心ギヤケース１４が横回転軸１５廻りの任意位置に揺動変位されるように構成してある。２６はエンジン１からＰＴＯ軸２０への動力伝達を断続させる作業クラッチである。
【００２１】
次に蔓処理機構部Ｃについて説明すると、次の通りである。
即ち、左右の各縦回転軸１９の特定高さ位置に広巾プーリ２７が固定してあり、このプーリ２７の上側の縦回転軸１９に二つの間隔保持筒２８、２８を外嵌して、これら保持筒２８、２８の間にこれと対応する側のチェーンケース２９の上端を支持させてあり、また各縦回転軸１９の上端に狭巾プーリ３０を固定させてある。
【００２２】
３１は回動中心ギヤケース１４の前側から左右各側の前方へ延出させた前部支持フレームで、これの左右の先端を各側のチェーンケース２９の前端部に固定して各チェーンケース２９を回動中心ギヤケース１４と一体状になしてある。
【００２３】
前部支持フレーム３１の回動中心ギヤケース１４近傍の左右個所にはブラケット３２を固定し、これらブラケット３２の各々に支持アーム３３を枢着すると共に任意角度で固定されるものとなし、且つ各支持アーム３３の先端に４つの鼓形ローラ３４の軸着された枠体３５を軸支させた構成としてある。
【００２４】
各チェーンケース２９の先端部には広巾プーリ３６の固定された回転軸３７が回転変位のみ自在に装着してあり、また各チェーンケース２９の内方にはこの回転軸３７に固定されたスプロケット３８と縦回転軸１９に固定されたスプロケット３９との間に無端状の伝動チェーン４０を掛け回してある。
【００２５】
また左右各側のチェーンケース２９の広巾プーリ２７、３６間には二つのテンションプーリ４１、４１を支持アームを介して装着し、これらプーリ４１、４１を図示しないスプリングの弾力で左右向きの一定方向へ付勢した構成となしてある。これら複数のテンションプーリ４１は前後方向上で互い違いに位置するように配列させてある。
【００２６】
各チェーンケース２９の先端部から延出させたベルト支持棒４２には先端部プーリ支持板４３が固定してあり、この支持板４３には二つの狭巾プーリ４４、４５が軸着してある。
そして、左右各側において、これらプーリ４４、４５と前記狭巾プーリ３０の間に比較的長い突起の列設された無端状の掻き込みベルト４６を掛け回し、これら一対のベルト４６、４６を前部蔓補助搬送装置として機能する掻き込み装置４７となしてある。
【００２７】
このさい、狭巾プーリ４５は図示しないスプリングで弾性支持して掻き込みベルト４６にテンションを付与するものとなし、また左右の掻き込みベルト４６、４６の対向個所を掻き込み搬送部となし、この搬送部を図示しない案内板やこの案内板を支持するスプリング等に弾性支持させる。
【００２８】
各縦回転軸１９の縦軸受支持筒１８の外周と、間隔保持部材２８の外周にはプーリ支持アーム４８、４８が縦回転軸１９廻りの揺動自在に枢着してあり、これら二つの支持アーム４８、４８の先端部に軸受を介して回転支持軸４９を架設し、この回転支持軸４９に広巾プーリ５０が固定してある。
このさい、これら左右の支持アーム４８、４８にはこれらを互いに近接させる図示しないスプリングを設ける。
【００２９】
左右の各広巾プーリ５０の回転支持軸４９の上側には間隔保持部材５１が設けてあり、この間隔保持部材５１は支持アーム４８に対し回転支持軸４９廻りへ一定角度の揺動変位可能となしてあり、この間隔保持部材５１から後方へ上部支持杆５２が延出させてある。
【００３０】
各上部支持杆５２は四角筒状の内管５２ａと外管５２ｂを具備し、前者が後者に内挿され、スプリング５３の弾力で伸張方向へ付勢され、且つ後端に軸受筒５４を固定した構成としてある。
軸受筒５４には回転軸５５を内挿してあり、これの上端に狭巾プーリ５６を固定し、下端に広巾プーリ５９を固定してある。
各上部支持杆５２の二つの広巾プーリ５０、５９間には二つのＣ形支持アーム６０、６０が軸着してあり、これらアーム６０、６０に３つのテンションプーリ６１の連着された支持棒６２を軸着すると共に図示しないスプリングでこれらテンションプーリ６１が左右向きの一定方向へ付勢された状態とする。
【００３１】
さらに各上部支持杆５２の前部からはベルト支持棒６３を前方へ延出させ、この支持棒６３に後部プーリ支持板６４を固定すると共にプーリ支持板６４の前部に狭巾プーリ６５を軸着している。
そして、左右各側において、このプーリ６５と前記プーリ５６の間に比較的低い突起の列設された無端状の搬送ベルト６６を掛け回し、これら一対のベルト６６、６６を後部蔓補助搬送装置６７となしてある。
このさい、狭巾プーリ６５は図示しないスプリングで弾性保持して、搬送ベルト６６にテンションを付与するものとなし、また左右の搬送ベルト６６、６６の対向個所を搬送部となし、この搬送部を図示しない案内板とこの案内板を支持するスプリング等に弾性支持させる。
【００３２】
また、左右各側の巾広プーリ２７、３６、５０、５９及びテンションプーリ４１、６１の間に無端状の挟持搬送ベルト６８を掛け回し、これら一対のベルト６８、６８を挟持搬送装置６９として機能させるのである。
このさい、挟持搬送ベルト６８の断面は巾中央の内面に突起条を有するものとなし、この突起条を巾広プーリ２７、３６、５０、５９及びテンションプーリ４１、６１の巾中央の凹みに嵌合させる。
【００３３】
左右のチェーンケース２９の後部には屈曲状の支持アーム７０ａが軸着してあり、このアーム７０ａの先端に案内ローラ７０を軸着すると共にこの案内ローラ７０と同軸に延長アーム７１を一定範囲内の左右揺動自在に枢着し、このアーム７１の先端をこれの対応する回転支持軸４９、４９の下端に枢着させた構成としてある。
さらに左右の広巾プーリ２７、２７の外側近傍にはチェーンケース２９と同体に保持された案内ローラ７２を設け、必要時に挟持搬送ベルト６８の外面側を案内するものとしてある。
７３は挟持搬送ベルト６８の前部外面側を案内するローラである。
【００３４】
上記した蔓処理機構部Ｃにおいて、縦回転軸１９の回転は広巾プーリ２７、スプロケット３９及び狭巾プーリ３０を同体的に回転させ、またスプロケット３９の回転はチェーン４０及びスプロケット３８を介して広巾プーリ３６を回転させる。
これにより、左右の各挟持搬送ベルト６８、６８は二つの広巾プーリ２７、３６で周回移動され、これらベルト６８、６８の対向部はテンションローラ４１、６１で圧接された状態で前方から後方へ移動する。
【００３５】
上記狭巾プーリ３０の回転は左右の掻き込みベルト４６、４６を周回移動させるものとなり、これにより、これらベルト４６、４６の対向部は適当間隔を保持して挟持搬送ベルト６８と同一速度で前方から後方へ移動する。
【００３６】
また各挟持搬送ベルト６８の周回移動は広巾プーリ５９及び、これと一体の回転軸５５及び狭巾プーリ５６を回転させるものとなり、狭巾プーリ５６の回転は左右の搬送ベルト６６、６６を周回移動させ、これにより、これらベルト６６、６６の対向部は間隔を徐々に狭めながら挟持搬送ベルト６８と同一速度で前方から後方へ移動するものとなる。
【００３７】
次に上記した本発明の蔓処理機で甘藷の蔓を処理する場合の使用例を説明する。二つの走行車輪７、７は図５に示すように藷畝ｈの左右の溝ｍに位置させて藷畝ｈを跨いだ状態となし、また、左右の上部支持杆５２、５２を例えば進行方向の右側へ任意な適当角度だけ振り移動させて二つの支持杆５２、５２のうちの一方を図示しない規制手段でチェーンケース２９と同体に固定し、図１及び図５に示す状態とする。
【００３８】
また揺動操作ハンドル２５を操作して蔓処理機構部Ｃを横回転軸１５廻りへ揺動させ、左右の鼓形ローラ３４を藷畝ｈの左右斜面に沿わせて当接させる。このさい支持ローラ１３は藷畝ｈ上に当接した状態となされる。
【００３９】
この後、機体を走行させ、各部を作動状態とする。これにより、分草板４は溝ｍ内で根付いた蔓ｔや、前行程で走行車輪７に踏まれ土中に埋もれた蔓ｔ等を順次に掘り起こして切断部３ａに案内し、また掻き込み装置４７は掻き込みベルト４６、４６の突起で藷畝ｈの上面及びその左右斜面に繁茂した蔓ｔを連続的にその搬送始端に掻き込み、続いて後向き斜め上方へ搬送する。
【００４０】
切断部３ａは、図６に示すように、これに交差してきた蔓ｔを溝ｍ内で切断しつつ前進するのであり、このさい掻き込み装置４７は切断部３ａに交差した蔓を引っ張るように作用するため、蔓ｔは切断され易い状態となって的確に切断されるものとなる。
【００４１】
こうして掻き込み装置４７に掻き込まれた蔓ｔはやがて挟持搬送装置６９の搬送始端に供給されるのであり、この後、挟持搬送装置６９が強力にこれら蔓ｔを挟み付けて後向き斜め上方へ搬送し、順次に上方へ引き上げる。
この引き上げが進行すると、左右近傍を鼓形ローラ３４で押さえられた藷の蔓元に強力な引張力が作用し、その蔓元が引きちぎられるのであり、このような引きちぎり処理は藷畝ｈに沿って行われる。
この引きちぎりに代えて、適宜な切断装置で接断するようにすることもできる。
【００４２】
挟持搬送装置６９は、この引きちぎり処理の終了した蔓ｔを広巾プーリ２７の位置（折曲個所）から広巾プーリ５０の位置（第二の折曲個所）を経て搬送終端まで搬送し、隣りの藷畝ｈ上等に落下させる。
【００４３】
一方、掻き込み装置４７は、図７に示すように挟持搬送装置６９の搬送する蔓ｔの上部を抱いて挟持搬送装置６９の搬送経路の直上に沿って広巾プーリ２７の個所まで搬送するのであり、この後は、後側蔓補助搬送装置６７が掻き込み装置４７の搬送終端に達する前の蔓ｔを受け取り、やはり挟持搬送装置６９の搬送する蔓ｔの上部を抱いて挟持搬送装置６９の搬送経路の直上に沿って挟持搬送装置６９の搬送終端まで搬送し解放する。
【００４４】
こうして掻き込み装置４７及び後側蔓補助搬送装置６７は、挟持搬送装置６９に挟持されて搬送される蔓ｔの上部を挟持搬送装置６９の搬送経路の全過程において抱き持ちつつ搬送する蔓補助搬送装置として機能するのである。
このさい、挟持搬送装置６９と掻き込み装置４７と後側蔓補助搬送装置６７とで搬送される蔓ｔは例えば１０ｃｍ程度離れた上下二個所を支持されるため、比較的立姿状に保持されて左右へ垂れ下がり難くなり、こぼれ落ちることや絡み付きを生じることなく効率的に搬送されるものとなる。
【００４５】
ところで、前行程で処理した蔓ｔ１を載せられた隣りの藷畝ｈの蔓ｔを処理する場合も、上記に準じて処理することになる。この場合には、藷畝ｈ上の蔓ｔの量が多くなっているが、掻き込み装置４７及び後側蔓補助搬送装置６７が挟持搬送装置６９に挟持されて搬送される蔓ｔの上部やこの蔓ｔに載せられ絡み付いた蔓ｔ１等をも効果的に抱き持って搬送するため、これらの蔓ｔ、ｔ１はやはり左右へこぼれ落ちることや絡み付きを生じることなく効率的に搬送されるものとなる。
【００４６】
このように藷畝ｈ上の蔓はその量が２〜３倍程度になっていても支障なく搬送除去されるものとなる。従って、挟持搬送装置６９による蔓ｔの排除個所は広い範囲で選択可能となって、蔓除去及び藷掘り等の作業を効率的となす個所に落下させることができるのである。
【００４７】
【発明の効果】
請求項１に記載の如く、機体の走行中に畝ｈの上面及び左右斜面に繁茂した蔓ｔを掻き込み装置４７で掻き集め、挟持搬送装置６９で根付いた蔓ｔを引きちぎりし、続いて掻き集めた蔓ｔと引きちぎりした蔓ｔを斜め後ろ上方へ搬送し、その搬送途中より隣接する畝ｈあるいは溝ｍ上へ排出する蔓処理機であって、駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、該挟持搬送装置６９の始端部上方に、突起を列設した無端状の掻き込みベルト４６，４６を左右一対として巻き掛けした前端部を、畝ｈの上面及び左右斜面に繁茂した蔓ｔを掻き集めする掻き込み搬送部とし、この掻き込み搬送部から後方を前記挟持搬送装置６９と共に搬送する搬送部を備えた掻き込み装置４７を設け、前記挟持搬送装置６９の搬送経路中途部より終端部に亘り、前記挟持搬送装置６９と共に前記蔓ｔを搬送する後部蔓補助搬送装置６７を設け、前記掻き込み装置４７と前記後部蔓補助搬送装置６７を前記挟持搬送装置６９の搬送経路のほぼ全長の直上に連続して沿わせて設けたことにより、掻き込み装置４７と後部蔓補助搬送装置６７が挟持搬送装置６９により挟持搬送される蔓の上部に搬送力を付与するため、蔓は挟持搬送装置６９と掻き込み装置４７と後部蔓補助搬送装置６７で上下二個所を支持されて、挟持搬送装置６９上を搬送する姿勢変化を規制された状態で確実に搬送されるようになり、蔓の搬送除去を確実且つ効率的に行えるものである。
また、挟持搬送装置の前端に設けた広巾プーリおよび、縦回転軸に設けた広巾プーリで搬送ベルトに駆動力を付与することによって、搬送ベルトのスリップが減少するとともに、搬送ベルトの搬送面で蔓を挟持する挟持力が増して、根付いた蔓を引きちぎる力が増大し、しかも搬送ベルトが外れ難くなった。
【００４８】
請求項２においては、駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、前記挟持搬送装置６９の搬送終端を機体側方に向けて折曲する折曲箇所を前記掻き込み装置４７の終端部下方近傍に設け、前記折曲個所から搬送経路の終端までの間に前記挟持搬送装置６９と連動して左右に揺動する後部蔓補助搬送装置６７を前記挟持搬送装置６９の搬送経路の直上に沿って設けたものであるから、蔓挟持搬送装置がこれの折れ曲がり方向へ蔓を搬送するものとなり、後部蔓補助搬送装置はこのように搬送される蔓の上部をその全搬送過程で無理なく効果的に搬送するものとなる。
また、挟持搬送装置の前端に設けた広巾プーリおよび、縦回転軸に設けた広巾プーリで搬送ベルトに駆動力を付与することによって、搬送ベルトのスリップが減少するとともに、搬送ベルトの搬送面で蔓を挟持する挟持力が増して、根付いた蔓を引きちぎる力が増大し、しかも搬送ベルトが外れ難くなった。
【００４９】
請求項３においては、走行フレーム２の途中に上下に揺動する回動中心ギャケース１４を設け、該回動中心ギャケース１４から上方へ左右２箇所に延出した縦軸受支持筒１８、１８に装架した縦回転軸１９、１９を設け、該縦回転軸１９、１９に軸着した広巾プーリ２７、２７を搬送通路の折曲箇所とし、この折曲箇所から後方に、前記縦回転軸１９、１９に回転自在に軸架したプーリ支持アーム４８、４８の他方に挿架した回転支持軸４９、４９を介して一定角度の揺動変位可能とした間隔保持部材５１、５１で前記挟持搬送装置６９の搬送経路を左右へ折り曲げ可能とする第二の折曲個所を形成した挟持搬送装置６９を設けたことにより、後部蔓補助搬送装置を一つの屈曲個所のみで大きく曲げることなく、大きく左右へ振ることができ、これにより圃場面の蔓を機体から遠く離れた左右個所へ無理なく確実に搬送することができるものである。
【００５０】
請求項４においては、駆動力を有した２個の広巾プーリ２７，３６と回転自在な広巾プーリ５９を左右対称に設け、該広巾プーリ２７，３６、５９間に前記蔓ｔを挟持搬送する幅広の搬送ベルト６８，６８を左右一対として対向して巻き掛けして、前端は低く後端に向かうほど後高傾設で上下揺動可能とした挟持搬送装置６９を機体上に設け、前記挟持搬送装置６９の始端部上方に、作用側が平面視で略へ字状に巻き掛けした掻き込みベルト４６、４６を左右対向して設け、該掻き込みベルト４６，４６の前端部を前記畝ｈに繁茂した蔓ｔを掻き集めする略ハ字状に形成した掻き込み搬送部と、この掻き込み搬送部より後方側を前記挟持搬送装置６９の搬送通路に沿って搬送する搬送部を備えた掻き込み装置４７を設け、前記挟持搬送装置６９の搬送経路の前記折曲箇所より終端部に亘り、前記挟持搬送装置６９に連動して左右に揺動し、さらに前記蔓ｔを前記掻き込み装置４７より受継ぎ前記挟持搬送装置６９と共に後方搬送する後部蔓補助搬送装置６７を設け、前記掻き込み装置４７の搬送部後端と前記後部蔓補助搬送装置６７の搬送始端を前記挟持搬送装置６９の搬送経路のほぼ直上に重複させたことにより、掻き込み装置と後部蔓補助搬送装置の搬送作用を挟持搬送装置で搬送される蔓に途切れることなく付与でき、蔓の搬送除去を確実且つ効率的に行えるものである。
また、挟持搬送装置の前端に設けた広巾プーリおよび、縦回転軸に設けた広巾プーリで搬送ベルトに駆動力を付与することによって、搬送ベルトのスリップが減少するとともに、搬送ベルトの搬送面で蔓を挟持する挟持力が増して、根付いた蔓を引きちぎる力が増大し、しかも搬送ベルトが外れ難くなった。
【図面の簡単な説明】
【図１】      本発明の実施例に係る蔓処理機の使用状態を示す平面図である。
【図２】      上記処理機の別の状態を示す平面図である。
【図３】      上記処理機の一部を断面とした側面図である。
【図４】      上記処理機の一部を省略した平面図である。
【図５】      上記処理機の使用例を示す正面視説明図である。
【図６】      上記蔓処理機構部の最前部の作動状態を示す図である。
【図７】      上記処理機の蔓処理機構部の蔓搬送状況を示す断面図である。
【符号の説明】
ｈ        藷畝
ｍ        溝
ｔ        蔓
ｔ１      蔓
１        エンジン
１４      回動中心ギャケース
１８      縦軸受支持筒
１９      縦回転軸
２７      広巾プーリ（折曲個所）
２９      チェーンケース
３０      狭巾プーリ
３１      前部支持アーム
３６      広巾プーリ
４２      ベルト支持棒
４３      プーリ支持板
４４      狭巾プーリ
４５      狭巾プーリ
４６      掻き込みベルト
４７      掻き込み装置
４８      プーリ支持アーム
４９      回転支持軸
５０      広巾プーリ（第二の折曲個所）
５１      間隔保持部材
６７      後部蔓補助搬送装置
６８      搬送ベルト
６９      挟持搬送装置
【図１】
0003729974.tif 000002
【図２】
0003729974.tif 000003
【図３】
0003729974.tif 000004
【図４】
0003729974.tif 000005
【図５】
0003729974.tif 000006
【図６】
0003729974.tif 000007
【図７】
0003729974.tif 000008